(57)【要約】      （修正有）【課題】石膏材が残っても洗い流すことなく、当該石膏材を凝固硬化したままでも容易に剥離させて簡単に回収でき、石膏溶きに際し、連続した再度使用を可能にする石膏取り用エコ容器を提供する。【解決手段】エコ容器本体１を、凝固硬化後の石膏材を剥離可能とした柔軟性を有するシリコーン樹脂材によって形成する。エコ容器本体１は、併用する支持容器Ｐの内部に密着する二重構造であり、支持容器Ｐに対して、複数のエコ容器本体１を組合せ使用する。【選択図】図１
0003152935.tif 000002
【実用新案登録請求の範囲】
【請求項１】
彫塑物の外形表面に付着させて凝固した後に取り外して石膏型とする石膏材を水で溶くときに使用する石膏取り用エコ容器であって、凝固硬化後の石膏材を剥離可能とした柔軟性を有するシリコーン樹脂材のエコ容器本体を備えたことを特徴とする石膏取り用エコ容器。
【請求項２】
エコ容器本体は、併用する支持容器内に密着可能とした二重構造として成る請求項１記載の石膏取り用エコ容器。
【請求項３】
支持容器に対して、複数のエコ容器本体を組合せ使用するようにしてある請求項２記載の石膏取り用エコ容器。
【考案の詳細な説明】
【技術分野】
【０００１】
本考案は、彫刻の原型として粘土で造った像である彫塑物の外形表面に石膏材を付着し凝固させることで石膏型を制作するに際し、この石膏材を水で溶くときに使用し、また凝固してもその石膏塊をそのまま回収できるようにした石膏取り用エコ容器に関する。
【背景技術】
【０００２】
従来、彫刻の原型として粘土で造った像である彫塑物の外形表面に石膏材を付着させ、凝固した後にこの石膏材を取り外して石膏型とし、これに所定の素材を流し込み、その素材を凝固させてから石膏型を取り除くことで彫像が制作される。この彫塑物の外形表面に石膏材を付着させる際には、粉末状の半水石膏材をセラミックス製もしくはアルミニウム製等のボウル容器等の支持容器に入れてから水で溶いて液状となった水石膏の状態にしておく必要がある。
【０００３】
すなわち、石膏材は硫酸カルシウムを主成分とする鉱物であり、粉末状の石膏材を水と反応させて水石膏とした状態から、彫塑物等に付着させて所定形状に凝固硬化させることにより石膏型が形成される。
【０００４】
更に具体的には、例えば銅像を制作する場合を例としてその大凡の作業工程を説明すると、先ず粘土で原型を完成させ、次に型取りを行う。この型取り作業は水に溶いた焼石膏（硫化カルシウム）を原型の表面にある程度の厚み（１０ｍｍ程度）で均一に覆っていき、石膏が硬化するのを待つ。これから原型の粘土を掻き出すことで、石膏にて形成されている雌型（凹型）を得るのであり、この雌型内に再度、水に溶いた焼石膏を流し込んで硬化させた後に、雌型の石膏を取り除くことで、石膏原型を制作するのである。
【先行技術文献】
【特許文献】
【０００５】
【特許文献１】特になし
【考案の概要】
【考案が解決しようとする課題】
【０００６】
しかしながら、従来においては、例えば半球状のボウル容器等の石膏材溶き用の支持容器がセラミックス製もしくはアルミニウム製等であり、使用せずに支持容器内に残った水石膏は凝固硬化して当該支持容器の内壁面に強固に付着して取れなくなってしまうから、直ちに支持容器に付着している石膏を洗い流さなければならない。しかも、石膏型を制作するには、彫塑物の大きさにもよるが、例えば等身大の首像であれば水石膏とする石膏材を５Ｋｇ程度を使用する。その際、水で溶いて水石膏になれば硬化が始まり、１０分から２０分程度で硬化してしまうから、一度に大量に水石膏を作る訳にはいかない。そのために、例えば片手で持てる程度のボウル状の支持容器を用意し、その支持容器内で石膏材を溶きながら彫塑物表面に付着させていく。そして、使用した支持容器は直ちに洗浄しなければ、支持容器内に残留した水石膏が凝固してしまい、洗い流すことができなくなる。
【０００７】
また、この支持容器を複数で用意して、その支持容器を順次に交換しながら、それぞれの支持容器から水石膏を彫塑物に付着使用するとしても、支持容器内それぞれで硬化が始まるから、使用後に残る水石膏が凝固する前に急いで洗い流さなければならない。そればかりでなく、水石膏を水で流して洗浄するとしても、そのまま洗い流すと流し台等の排水口、排水溝に付着し、それが固まることで目詰まりが生じたり、汚れたりする等の不都合もあった。
【０００８】
そこで、本考案は叙上のような従来存した諸事情に鑑み創案されたもので、石膏材が残っても、これを洗い流すことなく、当該石膏材を凝固硬化したままの状態でもこれを容易に剥離できて簡単に回収することができ、容器自体を再度使用するのに何らの不都合も生じないものとなる石膏取り用エコ容器を提供することを目的とする。
【０００９】
すなわち、本考案は、石膏液を流さないので流し台等の排水路を汚さず（環境保全）、石膏塊をそのまま回収でき（リサイクル）、支持容器の洗浄の必要がなく（環境保全）、それに伴い洗浄水の必要がなく（環境保全）、容器の繰り返しの使用が可能であり（リサイクル）、これによって容器を洗浄する作業工程がなくなる（作業効率化）等の石膏取り用エコ容器とするものである。
【課題を解決するための手段】
【００１０】
上述した課題を解決するために、本考案にあっては、彫塑物Ｑの外形表面に付着させて凝固した後に取り外して石膏型とする石膏材Ｖを水Ｗで溶くときに使用する石膏取り用エコ容器であって、凝固硬化後の石膏材Ｖを剥離可能とした柔軟性を有するシリコーン樹脂材のエコ容器本体１を備えたものである。
エコ容器本体１は、併用する支持容器Ｐ内に密着可能とした二重構造のものとできる。  支持容器Ｐに対して、複数のエコ容器本体１を組合せ使用するようにしてあるものとできる。
【００１１】
以上のように構成された本考案に係る石膏取り用エコ容器にあって、シリコーン樹脂材によって形成したエコ容器本体１は、凝固硬化後の石膏材Ｖの付着を阻止させ、エコ容器本体１の繰り返し使用を可能にさせる。
また、エコ容器本体１は、併用する支持容器Ｐ内に密着状に装着されてしっかりと保持される二重構造となることによって、エコ容器本体１内での石膏材Ｖの溶き作業を容易にさせる。
そして、エコ容器本体１内で残った石膏材Ｖが凝固硬化されても、柔軟性のあるエコ容器本体１を外方から手指で押して変形させることで、凝固硬化された石膏材Ｖをエコ容器本体１から剥離可能にさせる。
１個の支持容器Ｐに対して複数のエコ容器本体１を組合せておくことで、複数のエコ容器本体１それぞれを支持容器Ｐに順次に組合せ、また取り外すことにより異なる作業を連続して進めさせる。すなわち、支持容器Ｐから取り外したエコ容器本体１内で残っている石膏材Ｖが硬化する放置時間を利用し、支持容器Ｐに組み合わせる１つのエコ容器本体１では水で溶き、他のエコ容器本体１では彫塑物に対して付着使用させる等のそれぞれで異なる作業を連続して進めさせる。こうすることで、それぞれのエコ容器本体１によって異なる作業を行わせ、これらを順次にローテーションで繰り返すことを可能にさせることで作業の効率化を向上させる。
【考案の効果】
【００１２】
本考案によれば、石膏材Ｖが残っても、これを洗い流すことなく、当該石膏材Ｖを凝固硬化したままの状態でこれを容易に剥離できて簡単に回収することができ、支持容器Ｐおよびエコ容器本体１を再度使用するのに何らの不都合も生じないものとなる。すなわち、シリコーン樹脂製であることで石膏材Ｖとの離型性は他に類を見ないものであり、柔軟性に富むことで凝固硬化後の石膏材Ｖとの剥離を極めて容易にしている。
【００１３】
その結果、本考案では、石膏液を流さないので流し台等の排水路を汚さず、支持容器の洗浄の必要がなく、それに伴い洗浄水の必要がない等によって環境保全に役立ち、また、石膏塊をそのまま回収でき、容器の繰り返しの使用が可能である等のリサイクル性もあり、しかも、これらによって容器を洗浄する作業工程がなくなることで作業効率化を大きく向上できる。
【００１４】
すなわち、これは本考案が、凝固硬化後の石膏材Ｖを剥離可能とした柔軟性を有するシリコーン樹脂材のエコ容器本体１を備えたからであり、これにより、残った石膏材Ｖが凝固硬化されても、エコ容器本体１を外方から手指で押して変形させることで、凝固硬化された石膏材Ｖをエコ容器本体１から容易に剥離させることができ、回収が簡単に行える。また、剥離された石膏材Ｖは液状ではなく凝固硬化したままの状態なので、流し台等で流すことなく、このまま固形物として回収することができ、清掃の手間も省ける。しかも、シリコーン樹脂材を成形素材としたエコ容器本体１は、石油系素材によるものではないから、石油系溶剤によって溶融せず、これによる清掃を可能にする。
【００１５】
さらに、エコ容器本体１は、併用する支持容器Ｐ内に密着可能な二重構造として成るので、併用する支持容器Ｐ内に密着状に装着してしっかりと保持させるから、エコ容器本体１内での石膏材Ｖの溶き作業を容易に行うことができる。しかも、エコ容器本体１の柔軟性によっても、支持容器Ｐからの取り外しも容易である。
【００１６】
また、１個の支持容器Ｐに対して複数のエコ容器本体１を用意し、それぞれのエコ容器本体１それぞれによって順次に石膏材Ｖを水で溶き、溶いた石膏材Ｖを付着使用し、また硬化、凝固させるように、それらを支持容器Ｐに順次に組合せ、また取り外すことで使用可能である。すなわち、１つのエコ容器本体１内の石膏液を彫塑物に付着使用し、使用後にエコ容器本体１内に残る石膏材Ｖが凝固しても、それをエコ容器本体１から剥離して回収させることができ、エコ容器本体１内に残った石膏材Ｖが硬化、凝固する所定の放置時間を利用し、その間に他のエコ容器本体１では水で溶き、またそれを彫塑物に付着使用させることで、連続した作業をローテーション的に遂行できるから、作業効率を大きく向上できる。
【００１７】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１８】
【図１】本考案を実施するための一形態における支持容器に装着する状態を示す一部切欠斜視図である。
【図２】同じく石膏取り用エコ容器の使用の一例を示すもので、（ａ）はボウル状の支持容器に装着した石膏取り用エコ容器に石膏材と水を入れている状態の斜視図、（ｂ）は石膏取り用エコ容器内の石膏材をヘラ等の塗着具を使って彫塑物の外形表面に付着させている状態の斜視図、（ｃ）は使用後の石膏取り用エコ容器を支持容器から取り外している状態の斜視図、（ｄ）は石膏取り用エコ容器内に残っている石膏材を回収している状態の斜視図である。
【図３】同じく石膏取り用エコ容器を例えば金型によって射出成型する場合の一例を示すもので、（ａ）は射出成型前の状態の断面図、（ｂ）は射出成型後の状態の断面図である
【考案を実施するための形態】
【００１９】
以下、図面を参照して本考案の実施の形態を詳細に説明すると、図において示される符号１は、例えば略半球状のボウル容器等の硬質素材による支持容器Ｐと併用して使用される本考案に係る石膏取り用エコ容器を構成するところの略半球面状に形成されたエコ容器本体である。このエコ容器本体１は、図２に示すように、例えば彫刻の原型として粘土で造った像である所謂彫塑物Ｑの外形表面に付着させ、凝固した後に取り外して石膏型とするための石膏材Ｖを水Ｗで溶くために使用されるものである。
【００２０】
すなわち、エコ容器本体１は、図１に示すように、球面状に形成された側面Ｐ１と、平坦状の底面Ｐ２とを有する全体が略半球状となったボウル状の支持容器Ｐに対応して、球面状に形成された側面部２と、平坦状の底面部３と、上側開口部分を支持容器Ｐの開口縁部に掛架させるための環状の平坦縁となるフランジ部４とから構成されている。
【００２１】
また、エコ容器本体１は、併用する支持容器Ｐの内側面に密着可能な外側面となっており、且つ凝固硬化後の石膏材Ｖを剥離可能とする柔軟性を有するシリコーン樹脂材により、肉厚が例えば約２ｍｍ〜５ｍｍ程度の種々の厚みによって形成されている。
【００２２】
尚、本考案に係る石膏取り用エコ容器の形成素材であるシリコーン樹脂は、シロキサン結合による主骨格を持つ人工高分子化合物の総称であり、ケトンの炭素原子をケイ素原子で置換した化合物を意味する。化学的には、ジメチルジクロロシランをはじめとする各種のシラン類を加水分解し、生成したシラノールが脱水縮合したオリゴマー、ポリマーである。このように石油系素材によるものではないから、石油系溶剤によって溶融せず、これによる清掃を可能にしている。
【００２３】
このシリコーン樹脂材によってエコ容器本体１を形成するには、例えば金型を利用した射出成型によることができる。すなわち例えば図３（ａ）に示すように、エコ容器本体１の肉厚分に相当する間隙で離間している成型面を備えた雌雄の金型１１，１２相互間に、金型１１，１２のいずれか一方に形成した注入口１３から液状のシリコーン樹脂材を注入供給する。そして、図３（ｂ）に示すように、注入後に成型硬化した後に雌雄の金型１２，１３相互を離間し、所定の厚みを備えたシリコーン樹脂材によるエコ容器本体１が形成される。このようにして形成されるエコ容器本体１は、１個の支持容器Ｐに対して複数にして組み合わせられるものとしてある。
【００２４】
尚、図示を省略したが、エコ容器本体１は、併用する支持容器Ｐの内部に液状のシリコーン樹脂材を供給し、これを所定の厚みとなるように成型し凝固させることで形成することも可能であり、この場合に、併用する支持容器Ｐ内側面にきっちりと対応したエコ容器本体１とすることができる。
【００２５】
いずれにしても、シリコーン樹脂製のエコ容器本体１の形成は、射出成型、プレス成型に限らないことは勿論であり、所定の種々な方法が採用できる。
【００２６】
また、図示を省略したが、１個の支持容器Ｐに対して、複数のエコ容器本体１を組合せ使用するようにすると良い。すなわち、１つのエコ容器本体１では石膏材Ｖを水で溶いておき、また他の１つのエコ容器本体１では石膏液を彫塑物に対して付着使用しており、更に他のエコ容器本体１では付着使用後でそのまま若干の時間で放置しておき、また他のエコ容器本体１ではその残ることで凝固した石膏塊を回収するようにできるようにしてある。このように、複数のエコ容器本体１を１個の支持容器Ｐと組み合わせて順次に作業手順に対応して使用することで、作業効率を向上できるようにしている。尚、これらの複数のエコ容器本体１は、支持容器Ｐと組合せ使用するのであり、支持容器Ｐに対する嵌め入れ、着脱を作業手順に応じて行いながら、進めていくのである。
【００２７】
次に、以上のように構成された形態についての使用の一例として、例えば、彫刻の原型として粘土で造った像である彫塑物Ｑの外形表面に石膏材Ｖを付着させ、凝固させることで石膏材Ｖ製の石膏型が制作される場合について説明する。
【００２８】
尚、上記した構成によるシリコーン樹脂製のエコ容器本体１は、使用に際しては、支持容器Ｐ内に密着させて二重構造のものとして使用するのであるが、エコ容器本体１単独での使用も可能であることは勿論である。
【００２９】
先ず、図１に示すように、エコ容器本体１をボウル状の支持容器Ｐ内に密着状に嵌め込んでおく。そして、図２（ａ）に示すように、このエコ容器本体１内に粉末状の所定量の石膏材Ｖと所定量の水Ｗとを入れてから撹拌棒Ｕで良く混ぜることで、粘性のある液状となった石膏材Ｖの状態にしておく。
【００３０】
図２（ｂ）に示すように、この石膏材Ｖを例えば人物等に造られた彫塑物Ｑの外形表面に、例えばヘラ等の塗着具Ｒを使って付着し、凝固した後にこの石膏材Ｖを取り外して石膏型とする。このとき、石膏材Ｖが均一に付着した後に、彫塑物Ｑに対する凝固後の型割が容易となるようにするため、例えば前面部と後面部との仕切となるような隔壁材Ｌを彫塑物Ｑに予め取り付けておくこともある。
【００３１】
この型割されている石膏型を組み合わせてから、この内部に所定の素材である例えば銅や青銅等の金属、あるいは合成樹脂材等を流し込み、その素材を凝固させてから石膏型を取り除くことで所定の金属製または合成樹脂製等の彫像が制作される。
【００３２】
また、エコ容器本体１内に残された石膏材Ｖが凝固硬化された状態となったとしても、図２（ｃ）に示すように、エコ容器本体１のフランジ部４を手指で持って支持容器Ｐ内側面から取り外し、図２（ｄ）に示すように、エコ容器本体１を外方から手指で押して変形させることで、凝固硬化している石膏材Ｖをエコ容器本体１から剥離させ、例えば回収用容器Ｔ内に投入し、回収すれば良く、その後、繰り返す石膏溶き作業のためのエコ容器本体１の再度の使用を可能にする。
【００３３】
尚、１個の支持容器Ｐに対して複数のエコ容器本体１を組合せ使用する場合の一手順を説明すると、次の通りである。第１のエコ容器本体１では支持容器Ｐに嵌め入れて組合せた状態で、水で石膏材を溶くのであり、その石膏液を彫塑物に対して付着使用後では、支持容器Ｐから取り外し、そのまま若干の時間で放置しておく。次いで、第２の他のエコ容器本体１を再び支持容器Ｐに嵌め入れて組合せ、同様に石膏材Ｖを水で溶き、使用する。その間、例えば１０〜２０分間で放置したままの先の第１のエコ容器本体１内では残っている石膏液が硬化、凝固してエコ容器本体１に付着しているものとなる。そこで、エコ容器本体１をその外側から押して変形させると共に、石膏塊を回収用容器Ｔ内に投入し、回収する。そして、石膏塊を剥離したエコ容器本体１を支持容器Ｐと組み合わせて再度使用するのであり、複数のエコ容器本体１を支持容器Ｐと順次に組合せ、ローテーション的に使用することで作業を効率的に遂行できるようにしている。このように、水で溶いて石膏液とし、それを付着使用させ、また、その凝固での回収、再度の使用に際し、１つのエコ容器本体１内で石膏液が硬化、凝固する間で、他のエコ容器本体１で異なる作業ができることで、洗浄が必要でなく、汚染のおそれもない等の環境保全に役立ち、回収後の石膏塊の再使用、エコ容器本体１自体の再使用等でリサイクルにも大きく寄与する。
【符号の説明】
【００３４】
Ｐ…支持容器（ボウル容器）              Ｐ１…側面
Ｐ２…底面                              Ｑ…彫塑物
Ｒ…塗着具                              Ｕ…撹拌棒
Ｖ…石膏材                              Ｗ…水
Ｔ…回収用容器                          Ｌ…仕切隔壁材
１…エコ容器本体                        ２…側面部
３…底面部                              ４…フランジ部
１１…雌型                              １２…雄型
１３…注入口
【図１】
0003152935.tif 000003
【図２】
0003152935.tif 000004
【図３】
0003152935.tif 000005
【手続補正書】
【提出日】平成21年6月15日(2009.6.15)
【手続補正１】
【補正対象書類名】実用新案登録請求の範囲
【補正対象項目名】全文
【補正方法】変更
【補正の内容】
【実用新案登録請求の範囲】
【請求項１】
彫塑物の外形表面に付着させて凝固した後に取り外して石膏型とする石膏材を水で溶くときに使用するエコ容器本体を備える石膏取り用エコ容器であって、エコ容器本体は、凝固硬化後の石膏材を剥離可能とした柔軟性を有するシリコーン樹脂材にて形成されていることを特徴とする石膏取り用エコ容器。
【請求項２】
エコ容器本体は、併用する支持容器内に密着可能とした二重構造として成る請求項１記載の石膏取り用エコ容器。
【請求項３】
支持容器に対して、複数のエコ容器本体を組合せ使用するようにしてある請求項２記載の石膏取り用エコ容器。
【手続補正２】
【補正対象書類名】明細書
【補正対象項目名】００１１
【補正方法】変更
【補正の内容】
【００１１】
上述した課題を解決するために、本考案にあっては、彫塑物Ｑの外形表面に付着させて凝固した後に取り外して石膏型とする石膏材Ｖを水Ｗで溶くときに使用するエコ容器本体１を備える石膏取り用エコ容器であって、エコ容器本体１は、凝固硬化後の石膏材Ｖを剥離可能とした柔軟性を有するシリコーン樹脂材にて形成されていることを特徴とする。
エコ容器本体１は、併用する支持容器Ｐ内に密着可能とした二重構造のものとできる。  支持容器Ｐに対して、複数のエコ容器本体１を組合せ使用するようにしてあるものとできる。